(57)【要約】【課題】背中が丸くなりやすい姿勢を補整する。【解決手段】伸縮性素材で形成され、着用時に着用者の第７胸椎から左右の第７肋骨の脇部まで第７肋骨に沿った斜め下方向に延在するように配置され、着用時に着用者を締め付ける力が大きい第１パワー部２１と、着用時に第１パワー部よりも締め付け力が小さい被覆部１０とを備える。【選択図】図１
2015066312.tif 000002
【特許請求の範囲】
【請求項１】
着用者の上半身の背面から前面の周囲を覆う着用自在な姿勢補整衣類であって、
着用時に少なくとも左右のバストの下側から脇側部分を経由して背中心に至る領域を覆うように筒状に形成された本体部と、
着用時に着用者の第７胸椎から左右の第５〜７肋骨の脇部まで前記の肋骨のうちの少なくとも一つに沿って斜め下方向に延在し、締め付ける力が前記本体部よりも大きくなるように前記本体部に形成された第１パワー部と、
を備えることを特徴とする姿勢補整衣類。
【請求項２】
着用時に着用者の第９胸椎から左右の第７肋骨の脇部まで延在するように前記本体部に形成され、着用状態で締め付ける力が前記本体部よりも大きい第２パワー部
をさらに備えることを特徴とする請求項１に記載の姿勢補整衣類。
【請求項３】
前記第１パワー部の背面側中央近傍と前記第２パワー部の背面側中央近傍とを連結する位置に配置されて着用者を締め付ける力が前記被覆部よりも大きい第３パワー部
をさらに備えることを特徴とする請求項２に記載の姿勢補整衣類。
【請求項４】
前記本体部の着用者の左右バストの両脇側を覆う部分と背面側部分とをそれぞれ結び、着用状態において前記本体部を上方から支持する肩掛け部をさらに備えることを特徴とする請求項１〜３のいずれかに記載の姿勢補整衣類。
【請求項５】
前記本体部は着用者の左右のバストをそれぞれ覆うカップ部をさらに備えることを特徴とする請求項１〜４のいずれか１に記載の姿勢補整衣類。
【請求項６】
前記本体部は、前中心部に係脱可能に形成された係留部を備えていることを特徴とする請求項１〜５のいずれか１に記載の姿勢補整衣類。
【発明の詳細な説明】
【技術分野】
【０００１】
本発明は、背中が丸くなりやすい姿勢を補整する姿勢補整衣類に関するものである。
【背景技術】
【０００２】
日常生活では、背中をそらす動作よりも背中を丸くする動作が多いため、背筋を意識しないと姿勢が悪くなりやすい。また、このような傾向は年齢を重ねる程、強くなる。これは、年齢を重ねると胸椎の曲げ伸ばしがしにくくなることにもよる。
【０００３】
これに対し、姿勢を補整（矯正）する衣類も開発されている（例えば、特許文献１参照）。特許文献１に記載される衣類は、背部に伸縮性バンド部を有し肩甲骨を背中の中央部に引き寄せて猫背を補整したり、猫背になることを抑制している。
【先行技術文献】
【特許文献】
【０００４】
【特許文献１】特開２０１１−７２３２３号公報
【発明の概要】
【発明が解決しようとする課題】
【０００５】
しかしながら、特許文献１に記載されるような従来の姿勢補整用の衣類を着用した場合、姿勢補整のために設けられる締め付け力が大きい部分に違和感を感じたり、日常動作で背中を丸くする動作がしにくくなることがあった。また、従来の姿勢補整用の衣類では、加齢により胸椎の曲げ伸ばしがしにくくなった場合に十分に効果を得ることは困難であった。
【０００６】
本発明は、上記の技術的課題に鑑みて、背中が丸くなりやすい姿勢を補整する姿勢補整衣類を提案する。
【課題を解決するための手段】
【０００７】
本発明は、着用者の上半身の背面から前面の周囲を覆う着用自在な姿勢補整衣類であって、伸縮性素材で形成され、着用時に着用者の第７胸椎から左右の第５から第７肋骨のうちいずれかの脇部まで第７肋骨に沿った斜め下方向に延在するように配置され、着用時に着用者を締め付ける力が大きい第１パワー部と、着用時に前記第１パワー部よりも締め付け力が小さい被覆部とを備える。
【０００８】
この構成では、第１パワー部の締め付け力によって、第７胸椎が押圧され、着用者の背筋を伸すことができる。
【０００９】
また、伸縮性素材で形成され、着用時に着用者の第９胸椎から左右の第５から第７肋骨のうちいずれかの脇部まで延在する位置に配置されて着用者を締め付ける力が前記被覆部よりも大きい第２パワー部をさらに備えることが好ましい。
【００１０】
この構成では、第２パワー部が、第１パワー部による姿勢の補整を補助するとともに、被覆部のずれ上がりを防止する。
【発明の効果】
【００１１】
本発明は、背中が丸くなりやすい姿勢を補整することができる。
【図面の簡単な説明】
【００１２】
【図１】図１は、第１実施形態に係る姿勢補整衣類の斜視図である。
【図２】図２は、第１実施形態に係る姿勢補整衣類の正面図、背面図及び側面図である。
【図３】図３は、人の骨格について説明する図である。
【図４】図４は、人の姿勢について説明する図である。
【図５】図５は、図１の姿勢補整衣類のパワー部と骨格の位置関係を説明する図である。
【図６】図６は、図１の姿勢補整衣類を着用後の姿勢を着用前の姿勢と比較する図である。
【図７】図７は、第２実施形態に係る姿勢補整衣類の斜視図である。
【図８】図８は、第２実施形態に係る姿勢補整衣類の正面図、背面図及び側面図である。
【図９】図９は、図７の姿勢補整衣類をブラジャーの上に着用した場合の斜視図である。
【図１０】図１０は、第３実施形態に係る姿勢補整衣類の斜視図である。
【図１１】図１１は、第３実施形態に係る姿勢補整衣類の正面図、背面図及び側面図である。
【図１２】図１２は、図１０の姿勢補整衣類をブラジャーの上に着用した場合の斜視図である。
【図１３】図１３は、変形例に係る姿勢補整衣類の正面図及び背面図である。
【発明を実施するための形態】
【００１３】
本発明の姿勢補整衣類は、着用者の姿勢をサポートするものである。以下に図面を用いて本発明の各実施形態及び変形例に係る姿勢補整衣類について説明する。また、以下の説明において、同一の構成については、同一の符号を付して説明を省略する。
【００１４】
［第１実施形態］
図１及び図２を用いて第１実施形態に係る姿勢補整衣類について説明する。第１実施形態に係る姿勢補整衣類１は、ブラジャーである。図１（ａ）は姿勢補整衣類１の正面斜視図、図１（ｂ）は背面斜視図、図２（ａ）は正面図、図２（ｂ）は背面図、図２（ｃ）は側面図である。第１実施形態に係る姿勢補整衣類１は、概略的に説明すると、前側被覆部１０１及び後側被覆部１０２を有する被覆部１０と、着用時に被覆部１０よりも締め付け力が大きく作用するパワー部２０と、着用時に着用者の肩部に掛かる肩掛け部３０とを備えている。また、被覆部１０は、前側被覆部１０１と後側被覆部１０２とを有している。前側被覆部１０１は、左右のバストを覆うカップ部であり、後側被覆部１０２は、前側被覆部１０１が着用状態でバストからずれないように支持する、いわゆるバック部である。ここでは、姿勢補整衣類１のパワー部２０と肩掛け部３０以外を被覆部１０とする。
【００１５】
ここで、図３を用いて以下の説明で使用する人体の骨格について説明する。人体の肋骨を背面から見たとき、各胸椎を中心として左右の下方に向かって肋骨が広がっている。ここで、胸椎は、上から順に第１胸椎Ｔ１、第２胸椎Ｔ２と称され、順に第１２胸椎Ｔ１２まである。また、胸椎に対応して肋骨も第１肋骨Ｒ１、第２肋骨Ｒ２称されており、順に第１２肋骨Ｒ１２まである。
【００１６】
日常生活において、人の動作は、背中を伸ばす動作よりも背中を丸くする動作の方が多い。したがって、人の姿勢は、図４（ａ）に示すように、背中が後ろに湾曲し（Ａ１）、胸が張れず（Ｂ１）、肩が前に出やすくなる（Ｃ１）傾向にある。これに対し、背中を押した場合には、背筋が伸ばしやすくなり。研究によると、特に第７胸椎の付近を押した場合には、図４（ｂ）に示すように、背中の湾曲が伸びて背筋も伸び（Ａ２）、胸が張れ（Ｂ２）、肩も後に引け（Ｃ２）姿勢を補整しやすくなることが明らかになっている。また、第７胸椎の付近を押すことは、幅広い年齢の人に効果が得られる。
【００１７】
具体的には、年を重ねるにつれて胸椎の可動域が小さくなるため、背骨のどの部分にパワーをかけても背筋が伸びやすくなるわけではない。例えば、年齢を重ねるにつれ第４胸椎は可動域が小さくなる傾向があるため、第４胸椎付近にパワーをかけても得られる効果は小さい。これに対し、年齢を重ねても第７胸椎の可動域は第４胸椎の可動域よりも大きいことが一般的である。したがって、第７胸椎の付近にパワーをかけた場合、年齢を問わず背筋を伸ばしやすくなる。また、この背筋を伸ばしやすくする効果は男女問わず得ることができる。
【００１８】
図１に示すように、第１実施形態に係る姿勢補整衣類１であるブラジャー（以下、「ブラジャー１」）は、バストを覆う左右一対のカップ部１１と、カップ部１１の下周縁に縫着されてカップ部１１を支持する左右一対の支持部１２と、左右の支持部１２を介してカップ部１１に連結される土台部１３を有している。また、ブラジャー１は、支持部１２を介して両端が左右のカップ部１１に連結されるバック布１４を有している。さらに、ブラジャー１は、カップ部１１及びバック布１４と連結される左右一対の肩ストラップ１５と、土台部１３に取り付けられる係止具（係留部）１６を有している。なお、ブラジャー１は、係止具１６を除いて左右が略同一に形成されている。
【００１９】
ここで、カップ部１１、支持部１２、土台部１３及びバック布１４の一部が被覆部１０に相当し、肩ストラップ１５が肩掛け部３０に相当する。具体的には、カップ部１１、支持部１２及び土台部１３が前側被覆部１０１に相当し、バック布１４の中央付近が後側被覆部１０２に相当する。また、バック布１４の一部、すなわち、バック布１４の上側及び下側にパワー部２０が設けられるものとする。換言すれば、上下に分かれて形成されたパワー部２０に囲まれて後ろ側の被覆部１０が設けられている。
【００２０】
支持部１２は、バージスラインに沿うように設けられている。この支持部１２は、ワイヤーが内部に設けられるワイヤータイプであってもワイヤーのないノンワイヤータイプであってもよい。例えば、ワイヤーには、剛性の低い樹脂ワイヤーや金属ワイヤーを使用することができる。また、布テープ等の布材を重ね合わせて用いて支持部１２としてもよい。
【００２１】
土台部１３は、非伸縮性素材でカップ部１１の下部側内端付近からカップ部１１の下周縁途中までを覆うように延在して形成される。また、土台部１３には、フック等の係止具１６が取り付けられており、左右の土台部１３は着脱自在である。ブラジャー１は、着用者が着用して係止具１６を係止した際には、着用者にフィットするように形成されている。この土台部１３を設けることで、アンダーバスト部分での装着安定性を向上させることができる。
【００２２】
図１に示す例では、土台部１３は、カップ部１１の内側の下周縁途中まで延設されているが、カップ部１１の脇部まで延在していてもよい。この場合には、バック布１４は、カップ部１１に連結されるのではなく、土台部１３と連結される。また、土台部１３とバック布１４とは、一枚の布から形成されていてもよいし、別布で形成されこれが縫着されていてもよいが、土台部１３は、非伸縮であることが好ましくバック布１４は伸縮性を有することが好ましい。特に土台部１３の左右のカップ部１１の内側部分は非伸縮であることが好ましい。
【００２３】
係止具１６は、係止部と被係止部とからなるホック（例えば、フックアンドアイ）、グリッパー、ボタン、紐、面ファスナー等をデザインや用途に応じて適宜選択して使用することができる。このとき、被覆部１０の締め付け具合を微調整できるようにしておくことが好ましい。なお、図１に示す例では、土台部１３は着脱自在な係止具１６を設けているが、土台部１３に係止具１６が設けられておらず、左右の土台部１３が一連に形成されていてもよい。
【００２４】
肩ストラップ１５の取り付け方は限定されないが、図１に示す例では、一端がバック布１４（具体的には、図２を用いて後述する第１パワー部２１）の上端に取り付けられ、他端がカップ部１１の上端に取り付けられる円環の係止具１７を通って反転し、エイト環からなる長さ調節具１８に導入されることにより、長さ調節可能な状態に形成されている。また、肩ストラップ１５の素材も限定されないが、例えば、紐や布テープで形成される。また、肩ストラップ１５はカップ部１１及びバック布１４を着用者の肩から吊り下げるものであればその態様は限定されない。
【００２５】
バック布１４は、伸縮性素材で略帯状に形成され、両端側はカップ部１１の外側の下縁と連結されている。このバック布１４の上側下側、すなわちバック布１４の上下両縁に沿って及び上側の中央付近から下側の中央付近に渡って着用時に締め付け力（緊締力）の大きいパワー部２０が配置されている。このパワー部２０は、着用者のパワー部２０が配置される部分にパワーを与える。ここでは、パワー部２０は、被覆部１０より締め付け力の大きい当て布で形成され、被覆部１０に縫着されているものとして説明する。したがって、被覆部１０上にパワー部２０が縫着されている部分は、被覆部１０ではなく、パワー部２０とする。なお、被覆部１０に当て布を縫着する場合には、着用者がブラジャー１を着用した際の内側に縫着しても、外側に縫着してもよい。
【００２６】
このパワー部２０は、第１パワー部２１、第２パワー部２２、第３パワー部２３を有している。図２では、各パワー部２１〜２３を、ハッチングを使用して区別している。ブラジャー１を着用時には、着用者の骨格と第１パワー部２１及び第２パワー部２２は図５に示すような配置関係になる。なお、図５では、第３パワー部２３の位置は示されていないが、後述するように、第３パワー部２３は、第１パワー部２１の中央付近から第２パワー部２２の中央付近に上下方向に配置されるため、第７胸椎Ｔ７から第９胸椎Ｔ９にかけて配置される。
【００２７】
第１パワー部２１は、着用者の第７胸椎Ｔ７から第７肋骨Ｒ７に沿って少なくとも左右の第７肋骨Ｒ７の脇方向に長く伸びている。図２に示す例では、第１パワー部２１は、左右の脇部を通り、着用者の前側まで延在してカップ部１１に縫着されている。この第１パワー部２１は、着用者の第７胸椎Ｔ７から第７肋骨Ｒ７と第８肋骨Ｒ８とを覆うようにして斜め下方に湾曲しつつ左右の両脇側へ至る。なお、本発明はこれに限定されるものでない、第１パワー部２１は、着用者の第７胸椎Ｔ７を起点として、左右の両脇側へ向かって、第５肋骨Ｒ５〜第７肋骨Ｒ７のいずれかを覆うようにして左右の両脇側へ至るように直線状または曲線状に形成すればよい。このとき、第１パワー部２１が着用者の肩甲骨Ｓの下角Ｉよりも下側に位置するように形成されていることが好ましい。パワー部２１が肩甲骨Ｓにかかった場合には着用者に違和感を与えたり、着用者の運動を妨げるおそれがあるためである。
【００２８】
第１パワー部２１は、着用時に、幅方向（着用者の背骨に沿った方向）よりも長手方向（着用者の肋骨に沿った方向）に締め付け力が大きくなる構成に形成されている。すなわち、着用時には、第１パワー部２１は、幅方向の伸縮よりも長手方向の伸縮が大きくなる構成である。よって、着用時には幅方向の締め付け力よりも長手方向の締め付け力が大きくなるものである。
【００２９】
したがって、ブラジャー１を着用した着用者の第７胸椎Ｔ７及び第７肋骨Ｒ７の付近は、この第１パワー部２１のパワー（圧力）を受け、第７胸椎Ｔ７を押圧された効果を得ることができるため、背筋が伸びやすくなる。また、図２に示すように、第１パワー部２１を着用者の側部から前側まで存在するように配置するとともに、前側の幅を背面側の幅よりも大きく設定することで、着用者の胸椎及び肋骨にパワーがかかりやすくなる。
【００３０】
このとき、第１パワー部２１の幅は背面の肋骨付近で１６〜４０mm程度であることが好ましく、なお好ましくは１０〜３５ｍｍ程度とすることが好適である。すなわち、第１パワー部２１の幅が細い場合には、胸椎や肋骨付近に姿勢を補整する十分なパワーを与えることが困難であるが、第１パワー部２１の幅が太い場合には、着用者の着用感を損なうとともに、運動しにくくなるためである。
【００３１】
また、第１パワー部２１は、着用時には肩ストラップ１５によって上方向に引き上げられる。これにより、第１パワー部２１を着用者により強くフィットさせることができるため、第１パワー部２１が着用者の胸椎や肋骨へ与えるパワーを大きくすることができる。したがって、肩ストラップ１５のバック布１４への取り付け位置（縫着位置）１５１は、第１パワー部２１を上方向に引き上げるように取り付けられていることが好ましい。例えば、図２に示すように、一対の肩ストラップ１５の一端がそれぞれ第１パワー部２１の中央上端に取り付けられていることが好ましく、左右の肩ストラップ１５の第１パワー部２１での取り付け位置が離れる程、第１パワー部２１を上方向に引き上げる力が弱くなる。
【００３２】
第２パワー部２２は、着用者の第１パワー部２１が存在する第７胸椎Ｔ７より下方の第９胸椎Ｔ９から左右の第７肋骨Ｒ７の脇方向に長く伸びている。図２に示す例では、第２パワー部２２は、左右の脇部付近で第１パワー部２１と重なって脇部を通り、着用者の前側まで存在してカップ部１１と縫着されている。そのため、図２に示す例では、着用者の前側で第１パワー部２１と第２パワー部２２の一部が重なった状態になっている。
【００３３】
また、この第２パワー部２２は、着用時に、幅方向（着用者の背骨に沿った方向）よりも長手方向（着用者の背骨と略垂直な方向）に締め付け力が大きくなるように形成されている。すなわち、着用時には、第２パワー部２２は、幅方向の伸縮よりも長手方向の伸縮が大きくなる構成である。よって、着用時には幅方向の締め付け力より長手方向の締め付け力が大きくなるものである。
【００３４】
したがって、ブラジャー１を着用した着用者の第９胸骨の付近は、この第２パワー部２２のパワー（圧力）を受け、第７胸椎Ｔ７とともに第９胸椎Ｔ９を押圧された効果を得ることができるため、背筋が伸びやすくなる。また、第２パワー部２２を設けてパワーをかけることで、第１パワー部２１の安定性を向上し、着用時に被覆部１０（バック布１４）がずれることで第１パワー部２１の位置がずれるのを防止する。さらに、第１パワー部２１と第２パワー部２２の両方を設けることで着用者の胸椎や肋骨付近により大きい力を与えることができる。また、図２に示すように、第２パワー部２２を着用者の側部から前側まで存在するように配置するとともに、前側の幅を背面側の幅よりも大きく設定することで、着用者の胸椎及び肋骨にパワーがかかりやすくなる。
【００３５】
なお、図２（ｃ）に符号Ｂ１で示す箇所は第５肋骨Ｒ５の位置を示し、符号Ｂ２で示す箇所は第８肋骨Ｒ８の位置をそれぞれ概略的に示すものである。なお、特に図示はしてないが、第７肋骨Ｒ７は、符号Ｂ２の直上に位置しており、第２パワー部２２の上辺近傍部分によって覆われる部分に位置している。
【００３６】
本実施形態では、図２（ｃ）に示されるように、第１パワー部２１と第２パワー部２２とによってバック布１４の前側から脇側に至る領域の全幅が覆われるように形成されている例を挙げて説明しているが、本発明はこれに限定されるものではない。例えば、製品の仕様に応じて第１パワー部２１及び第２パワー部２２の幅を細いものとしてもよいし、反対にさらに幅を大きなものとしてもよい。
【００３７】
このとき、第２パワー部２２の幅は、背面の肋骨付近で１０〜４０ｍｍ程度であることが好ましく、より好ましくは、１０〜３５ｍｍ程度であることが好ましい。すなわち、第２パワー部２２の幅が細い場合には、胸椎付近に姿勢を補整するための十分なパワーを与えることが困難であるが、第２パワー部２２の幅が太い場合には、着用者の着用感を損なうとともに、運動がしにくくなるためである。
【００３８】
このとき、図２（ｂ）に示すように、第１パワー部２１の中央付近と第２パワー部２２の中央付近とは離れており、第１パワー部２１と第２パワー部２２の間には後側被覆部１０が配置されている。仮に、ブラジャー１のバック布１４全体の締め付け力が大きい場合には着用者が背中を曲げる動作を行いにくくなる。これを防止するため、パワー部２０の間にパワー部２０よりも締め付け力の小さい後側被覆部１０を配置することで、着用者の日常動作を妨げないようにしている。
【００３９】
第３パワー部２３は、上述した第１パワー部２１と第２パワー部２２との間に着用者の胸椎に沿った位置に設けられている。図２に示す例では、第３パワー部２３は、第１パワー部２１の中央付近および第２パワー部２２の中央付近と重なった状態で縫着されている。また、図２に示す例では、第３パワー部２３は、上側が下側よりも幅広に形成されている。なお、本実施形態では、第３パワー部２３を例に挙げて説明しているが、第３パワー部は、必ずしも上側よりも下側の方が幅広に形成する必要はなく、第１パワー部と第２パワー部とを連結するものであればよい。
【００４０】
この第３パワー部２３は、幅方向（着用者の背骨と略垂直な方向）よりも長手方向（着用者の背骨に沿った方向）に締め付け力が大きく形成されている。すなわち、着用時には、第３パワー部２３は、幅方向の伸縮よりも長手方向の伸縮が大きくなる構成である。したがって、着用時には幅方向の締め付けよりも長手方向の締め付け力が大きくなるものである。第１パワー部２１及び第２パワー部２２とともに、この第３パワー部２３を設けることで、ブラジャー１を着用した着用者は、第７胸椎Ｔ７から第９胸椎Ｔ９にかけて押圧されるため、より背筋が伸びやすくなる。
【００４１】
上述した例においては、パワー部２０は、被覆部１０に被覆部１０よりも締め付け力の大きい当て布を縫着する例で説明したが、これに限られない。たとえば、被覆部１０の編み方とパワー部２０の編み方に異なる編み方を採用することで被覆部１０よりもパワー部２０の締め付け力を強くしてもよい。その他、樹脂プリントを利用して被覆部１０より締め付け力の大きいパワー部２０を設けてもよい。
【００４２】
また、各パワー部２１〜２３の締め付け力は同一である必要はない。各パワー部２１〜２３の締め付け力が異なる場合、例えば、第１パワー部２１の締め付け力が最も大きく、第２パワー部２２の締め付け力は第１パワー部２１の締め付け力より弱く、第３パワー部２３の締め付け力は第２パワー部２２の締め付け力より弱く構成するのが姿勢の補整と着用感から好ましい。
【００４３】
さらに、編み方の違いや樹脂プリントによって被覆部１０とパワー部２０の締め付け力（伸縮率）に違いをつける場合、例えば図２に示すような第１パワー部２１と第２パワー部２２又は第３パワー部２３との重なり部分に第１パワー部２１の締め付け力を採用し、第２パワー部２２と第３パワー部２３との重なり部分には第２パワー部２２の締め付け力を採用する。また、各パワー部２１〜２３内でも位置によって締め付け力が異なっていてもよい。
【００４４】
上述したように、第１実施形態に係るブラジャー１の着用者は、第７胸椎Ｔ７から第７肋骨Ｒ７の脇部にかけて第１パワー部２１のパワーを受けることにより、背筋が伸びやすくなる。また、第９胸椎Ｔ９から第７肋骨Ｒ７にかけて第２パワー部２２のパワーを受けるとともに、第７胸椎Ｔ７から第９胸椎Ｔ９にかけて第３パワー部のパワーを受けることにより、さらに背筋が伸びやすくなる。
【００４５】
（実施例）
以下に、第１実施形態に係るブラジャー１を着用した際の評価結果を説明する。図６に示す例では、６０代の被験者が第１実施形態に係るブラジャー１を着用した場合の状態を実線で示し、ヌード状態のシルエットを１点鎖線で示している。図６によれば、着用後を着用前のシルエットと比較すると、着用により背筋が伸びたことが分かる。
【００４６】
６０代９人を含む１０人の被験者が着用して姿勢判定をした結果、９名の被験者の姿勢が向上した。また、姿勢がよくなったかどうかのアンケートでは、８名の被験者が姿勢がよくなったと感じたと回答している。
【００４７】
これら１０人のユーザに第１実施形態に係るブラジャー１と従来の姿勢補整の効果があるブラジャー（以下、「ブラジャーＸ」）との着用感の比較に関するアンケートでは、「しめつけ感を感じにくいブラジャー」としてブラジャー１を選択した被験者は５名、ブラジャーＸを選択した被験者は２名、同等を選択した被験者は２名であった。また、「背筋が伸びた感じがしたブラジャー」としてブラジャー１を選択した被験者は７名、ブラジャーＸを選択した被験者は１名、同等を選択した被験者は１名であった。なお、「バストの形がきれいなブラジャー」としてブラジャー１を選択した被験者は４名、ブラジャーＸを選択した被験者は５名であった。この結果から、第４胸椎等の可動域が小さくなった６０代であってもブラジャー１は背筋が伸びやすくなることがわかる。
【００４８】
さらに、ブラジャー１に関し、「いつものブラジャーとは違う感じがあるが、背中が伸びる感じでよい」、「全体に楽でワイヤーも入っていないように感じる」、「姿勢がシャキッとする」、「胸がデコルテから盛り上がるのできれい」、「背中にいつも「つけている感じ」はする」等のコメントが被験者から寄せられた。一方、背中をパワー部２０でサポートすることの不具合、不快感等に関するコメントはなかった。これは、パワー部２０が筋肉に働きかけるものでなく、背中を支えるものなので、不具合、違和感なく着用できたものと考えられる。
【００４９】
［第２実施形態］
図７及び８を用いて、第２実施形態に係る姿勢補整衣類１Ａについて説明する。図７（ａ）は姿勢補整衣類１Ａの正面斜視図、図７（ｂ）は背面斜視図、図８（ａ）は正面図、図８（ｂ）は背面図、図８（ｃ）は側面図である。第２実施形態に係る姿勢補整衣類１Ａは、被覆部１０Ａと、着用時に被覆部１０Ａよりも締め付け力が大きいパワー部２０Ａと、着用時に着用者の肩に掛かる肩掛け部３０Ａとを備えている。被覆部１０Ａ及び肩掛け部３０Ａは、伸縮性素材で着用者にフィットするように形成されていることが好ましい。また、被覆部１０Ａと肩掛け部３０Ａを形成する素材は同一の素材を利用しても異なる素材を利用してもよい。例えば、被覆部１０Ａや肩掛け部３０Ａをメッシュ地にすることで、夏等の気温が高い場合でも、姿勢補整衣類１Ａを快適に着用することができる。
【００５０】
図７に示すように、第２実施形態に係る姿勢補整衣類１Ａは、左右一対の前身頃４１Ａと後身頃４２Ａとを有している。ここでは、姿勢補整衣類１Ａを着用した場合に着用者の前面側となる部分を前身頃４１Ａとし、着用者の背面側となる部分を後身頃４２Ａとする。また、前身頃４１Ａの被覆部１０Ａを前側被覆部１０３とし、後身頃４２Ｂの被覆部１０Ｂを後側被覆部１０４とする。さらに、図７及び図８では、前側被覆部１０３の一部が肩部布４６として構成される一例で説明する。
【００５１】
図７に示す例では、後身頃４２Ａは、２枚の布で形成され、後中心付近の縫着ラインＬで縫着されている。また、前身頃４１Ａと後身頃４２Ａは肩部布４６を除いて同一の布で形成されており、前身頃４１Ａは前中心付近に着脱自在な係止具１６が取り付けられている。左右の肩部布４６は、図７に示すように、着用時に着用者のそれぞれの肩の最も高い縫着位置４６１から、最も高い位置よりも下側の鎖骨と略同程度の高さ付近の縫着位置４６２にかけて配置されている。なお、姿勢補整衣類１Ａは、係止具１６を除いて左右が略同一に形成されている。
【００５２】
なお、前身頃４１Ａと後身頃４２Ａの形状はこれに限られず、例えば、後身頃４２Ａが１枚の布で形成されていてもよいし、前身頃４１Ａと後身頃４２Ａとが別布で形成されて脇部で縫着されていてもよい。また、前身頃４１Ａに係止具１６が設けられておらず、左右の前身頃４１Ａが一連に形成されていてもよい。
【００５３】
パワー部２０Ａは、図２を用いて上述した第１実施形態に係る姿勢補整衣類１の第１パワー部２１と略同一の帯状の形状であって、着用者の第７胸椎Ｔ７から第７肋骨Ｒ７に沿って少なくとも左右の脇方向に長く伸びている。図８に示す例では、パワー部２０Ａは、着用者の脇部を通り、後身頃４２Ａから前身頃４１Ａまで存在している。
【００５４】
姿勢補整衣類１Ａを着用した着用者の第７胸椎及び第７肋骨の付近は、このパワー部２０Ａのパワーを受けて押圧された効果を得ることができるため、背筋が伸びやすくなる。
【００５５】
このパワー部２０Ａは、第１実施形態に係る姿勢補整衣類１のパワー部２０と同様に被覆部１０Ａよりも締め付け力の大きい当て布で被覆部１０Ａに縫着されて形成されていてもよいし、被覆部１０Ａと異なる編み方や樹脂プリントによって被覆部１０Ａと連続して形成されていてもよい。仮に、図８に示す例で、パワー部２０Ａが当て布で被覆部１０Ａに縫いつけられているとしたとき、少なくともパワー部２０Ａの外周縁に沿って縫い合わせられることが好ましいが、外周縁に加え、帯状のパワー部２０を横断するような縫着ラインＬ１，Ｌ２を有することが好ましい。このように縫着ラインＬ１，Ｌ２を設けることで、パワー部２０Ａとこのパワー部２０Ａが縫い合わせられる布（被覆部１０Ａ）とがずれて着用時にパワー部２０Ａの位置が所望の位置からずれるのを防止することができる。なお、パワー部２０Ａの幅や長さは第１実施形態において説明した第１パワー部２１と同様に適宜変更されてもよい。
【００５６】
肩掛け部３０Ａは、両肩の前身頃４１Ａから後身頃４２Ａにかけて配置されている。ここでは、前側被覆部１０３から後身頃４２Ａのパワー部２０Ａにかけて配置されているものとするが、肩掛け部３０Ａの前身頃４１Ａと後身頃４２Ａにおける配置位置は限定されない。具体的には、着用時に着用者の肩に掛けられ、パワー部２０Ａが着用者の第７胸椎Ｔ７及び第７肋骨Ｒ７によりフィットしてパワーを与えられるように形成されることが好ましい。ここで、肩掛け部３０Ａは、パワー部２０Ａの後中心の縫着ラインＬ付近から前側被覆部１０３に連結するために上方向に存在しているため、パワー部２０Ａを上方向に引き上げることができる。また、図８に示すように、肩掛け部３０Ａに締め付け力の大きい補強部３１を配置させることで、幅が広くて上方向にパワーがかかりにくい肩掛け部３０Ａであっても、この肩掛け部３０Ａを着用者にフィットさせ、これによって第７胸椎Ｔ７の付近でパワー部２０Ａのパワーを強くすることができる。
【００５７】
また、図７に示す一例にあるように、姿勢補整衣類１Ａの縁部には、伸縮性のテープ部材４３Ａ〜４５Ａが取り付けられていることが好ましい。具体的には、前身頃４１Ａ及び後身頃４２Ａには、下側周縁部にテープ部材４３Ａが取り付けられて着用時に姿勢補整衣類１Ａの裾部分がずれないようにしている。また、前身頃４１Ａ及び後身頃４２Ａには、上側周縁部にテープ部材４４Ａが取り付けられて肩掛け部３０Ａの一部となり、着用時にパワー部２０Ａがずれないようにすることができる。さらに、前身頃４１Ａ及び後身頃４２Ａには、肩部から脇部の周縁にテープ部材４５Ａが取り付けられて肩部で肩掛け部３０Ａの一部となり、着用時にパワー部２０Ａがずれないようにすることができる。
【００５８】
第２実施形態に係る姿勢補整衣類１Ａは、着用者がブラジャーを着用する際には、図９（ａ）の正面斜視図及び図９（ｂ）の背面斜視図に一例を示すように、ブラジャー５０の上から着用することができる。図９に示すように姿勢補整衣類１Ａの下に別の衣類を着用した場合であっても、下に着用している衣類を介して姿勢補整衣類１Ａが着用者にフィットすることで、第７胸椎Ｔ７から第７肋骨Ｒ７に沿ってパワーがかけられ、着用者の姿勢を補整することができる。
【００５９】
上述したように、第２実施形態に係る姿勢補整衣類１Ａの着用者は、第７胸椎Ｔ７から第７肋骨Ｒ７の脇部にかけてパワー部２０のパワーを受けることにより、背筋が伸びやすくなる。
【００６０】
［第３実施形態］
図１０及び１１を用いて、第３実施形態に係る姿勢補整衣類１Ｂについて説明する。図１０（ａ）は姿勢補整衣類１Ｂの正面斜視図、図１０（ｂ）は背面斜視図、図１１（ａ）は正面図、図１１（ｂ）は背面図、図１１（ｃ）は側面図である。第３実施形態に係る姿勢補整衣類１Ｂは、被覆部１０Ｂと、着用時に被覆部１０Ｂよりも締め付け力の大きいパワー部２０Ｂと、着用時に着用者の肩に掛かる肩掛け部３０Ｂとを備えている。被覆部１０Ｂ及び肩掛け部３０Ｂは、伸縮性素材で着用者にフィットするように形成されていることが好ましい。この被覆部１０Ｂ及び肩掛け部３０Ｂの素材は、第２実施形態に係る姿勢補整衣類１Ａと同様に選択することができる。
【００６１】
図１０に示すように、第３実施形態に係る姿勢補整衣類１Ｂは、左右一対の前身頃４１Ｂと後身頃４２Ｂとを有している。上述した第２実施形態に係る姿勢補整衣類１Ａと同様に、着用した場合に着用者の前面側となる部分を前身頃４１Ｂとし、背面側となる部分を後身頃４２Ｂとする。また、前身頃４１Ｂの被覆部１０Ｂを前側被覆部１０５とし、後身頃４２Ｂの被覆部１０Ｂを後側被覆部１０６とする。さらに、図１０及び図１１では、前側被覆部１０３の一部が肩部布４６として構成される一例で説明する。
【００６２】
第３実施形態に係る姿勢補整衣類１Ｂを第２実施形態に係る姿勢補整衣類１Ａと比較すると、パワー部２０Ｂの構成がパワー部２０Ａの構成と異なる。具体的には、パワー部２０Ａは、第１実施形態に係る姿勢補整衣類１の第１パワー部２１と略同一の形状であったが、パワー部２０Ｂは、第１パワー部２１及び第２パワー部２２を有している。したがって、姿勢補整衣類１Ｂは、主に後身頃４２Ｂの形態が姿勢補整衣類１Ａの後身頃４２Ａの形態と異なる。
【００６３】
姿勢補整衣類１Ｂの後身頃４２Ｂは、図１１に示すように、着用者の第７胸椎Ｔ７から第７肋骨Ｒ７に沿って少なくとも左右の脇方向に伸びる第１パワー部２１と、第９胸椎Ｔ９から少なくとも第７肋骨Ｒ７の脇側に伸びる及び第２パワー部２２とを有している。また、この第１パワー部２１と第２パワー部２２は、後身頃４２Ｂから前身頃４１Ｂに伸びている。
【００６４】
姿勢補整衣類１Ｂを着用した着用者の第７胸椎Ｔ７、第９胸椎Ｔ９及び第７肋骨Ｒ７付近は、このパワー部２０Ｂのパワーを受けて押圧された効果を得ることができるため、背筋が伸びやすくなる。
【００６５】
このパワー部２０Ｂは、第１実施形態に係る姿勢補整衣類１のパワー部２０と同様に被覆部１０Ｂよりも締め付け力の大きい当て布で被覆部１０Ｂに縫着されて形成されていてもよいし、被覆部１０Ｂと異なる編み方によって被覆部１０Ｂと連続して形成されていてもよい。仮に、図１０に示す例で、パワー部２０Ｂが当て布で被覆部１０Ｂに縫いつけられているとしたとき、少なくとも第１パワー部２１及び第２パワー部２２の外周縁に沿って縫い合わせられることが好ましいが、外周縁に加え、帯状のパワー部２０を横断するような縫着ラインＬ３を有することが好ましい。このように縫着ラインＬ３を設けることで、パワー部２０Ｂとパワー部２０Ｂが縫い合わせられる布とがずれて着用時にパワー部２０Ａがずれるのを防止することができる。
【００６６】
肩掛け部３０Ｂは、第１実施形態に係る姿勢補整衣類１Ａの肩掛け部３０Ａと同様に、両肩の前身頃４１Ｂから後身頃４２Ｂのパワー部２０Ｂに掛けて配置されているものとするが、肩掛け部３０Ｂの前身頃４１Ｂと後身頃４２Ｂにおける配置位置は限定されない。具体的には、着用時に着用者の肩に掛けられ、パワー部２０Ｂが着用者の第７胸椎Ｔ７及び第７肋骨Ｒ７によりフィットしてパワーを与えられるように形成されることが好ましい。ここで、肩掛け部３０Ｂは、パワー部２０Ｂの後中心の縫着ラインＬ付近から上方向に存在しているため、パワー部２０Ｂを上方向に引き上げることができる。
【００６７】
また、図１０に示す一例にあるように、姿勢補整衣類１Ｂの縁部には、伸縮性のテープ部材４３Ｂ〜４５Ｂが取り付けられていることが好ましい。具体的には、前身頃４１Ｂ及び後身頃４２Ｂには、下側周縁部にテープ部材４３Ｂが取り付けられて着用時に姿勢補整衣類１Ｂの裾部分がずれないようにしている。また、前身頃４１Ｂ及び後身頃４２Ｂには、上側周縁部にテープ部材４４Ｂが取り付けられて肩掛け部３０Ｂの一部となり、着用時にパワー部２０Ｂがずれないようにすることができる。さらに、前身頃４１Ｂ及び後身頃４２Ｂには、肩部から脇部の周縁にテープ部材４５Ｂが取り付けられて肩部で肩掛け部３０Ｂの一部となり、着用時にパワー部２０Ｂがずれないようにすることができる。
【００６８】
第３実施形態に係る姿勢補整衣類１Ｂは、着用者がブラジャーを着用する際には、図１２（ａ）の正面斜視図及び図１２（ｂ）の背面斜視図に一例を示すように、ブラジャー５０の上から着用することができる。図１２に示すように姿勢補整衣類１Ｂの下に別の衣類を着用した場合であっても、下に着用している衣類を介して姿勢補整衣類１Ｂが着用者にフィットすることで、第７胸椎Ｔ７及び第９胸椎Ｔ９から第７肋骨Ｒ７にパワーがかけられ、着用者の姿勢を補整することができる。
【００６９】
なお、図１１に示す例では、姿勢補整衣類１Ｂのパワー部２０Ｂは、第１パワー部２１及び第２パワー部２２のみを有する例で説明しているが、図２を用いて上述したような第３パワー部２３を有していてもよい。
【００７０】
上述したように、第３実施形態に係る姿勢補整衣類１Ｂの着用者は、第７胸椎Ｔ７から第７肋骨Ｒ７の脇部にかけて第１パワー部２１のパワーを受けることにより、背筋が伸びやすくなる。また、第９胸椎Ｔ９から第７肋骨Ｒ７にかけて第２パワー部２２のパワーを受けることにより、さらに背筋が伸びやすくなる。
【００７１】
［変形例］
図１３を用いて、第３実施形態の変形例に係る姿勢補整衣類１Ｃについて説明する。図１３（ａ）は、変形例に係る姿勢補整衣類１Ｃの正面図、図１３（ｂ）は背面図である。第３実施形態の変形例に係る姿勢補整衣類１Ｃは、タンクトップであって、着用者の胴体を覆う被覆部１０Ｃと、着用時に被覆部１０Ｃよりも締め付け力が大きいパワー部２０Ｃと、着用時に着用者の肩に掛かる肩掛け部３０Ｃとを備えている。被覆部１０Ｃは、伸縮性素材で着用者にフィットするように形成されていることが好ましい。
【００７２】
図１３に示すように、姿勢補整衣類１Ｃ（以下、「タンクトップ１Ｃ」）の被覆部１０Ｃは、前身頃４１Ｃと後身頃４２Ｃとを有しており、前身頃４１Ｃと後身頃４２Ｃとが縫着されている。また、この被覆部１０Ｃは、伸縮性素材で形成されている。
【００７３】
本発明に係る姿勢補整衣類は、第１実施形態で説明したブラジャー１及び変形例で説明したタンクトップ１Ｃの他、スリップ、キャミソール、Ｔシャツ、ボディースーツ、水着、レオタード等の上半身の背面から前面を覆う衣類に適用することができる。
【００７４】
以上、実施形態及び変形例を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００７５】
１  ブラジャー（姿勢補整衣類）
１Ａ〜１Ｃ  姿勢補整衣類
１０，１０Ａ〜１０Ｃ  被覆部
１１  カップ部
１２  支持部
１３  土台部
１４  バック布
１５  肩ストラップ（肩掛け部）
１６  係止具（係留部）
１７  係止具
１８  調節具
２０，２０Ａ〜２０Ｃ  パワー部
２１  第１パワー部
２２  第２パワー部
２３  第３パワー部
３０，３０Ａ〜３０Ｃ  肩掛け部
３１  補強部
４１Ａ〜４１Ｃ  前身頃
４２Ａ〜４２Ｃ  後身頃
４３Ａ〜４５Ａ，４３Ｂ〜４５Ｂ  テープ部材
Ｔ７…第７胸椎
Ｔ９…第９胸椎  
Ｒ６…第６肋骨
Ｒ７…第７肋骨
Ｒ８…第８肋骨
【図１】
2015066312.tif 000003
【図２】
2015066312.tif 000004
【図３】
2015066312.tif 000005
【図４】
2015066312.tif 000006
【図５】
2015066312.tif 000007
【図６】
2015066312.tif 000008
【図７】
2015066312.tif 000009
【図８】
2015066312.tif 000010
【図９】
2015066312.tif 000011
【図１０】
2015066312.tif 000012
【図１１】
2015066312.tif 000013
【図１２】
2015066312.tif 000014
【図１３】
2015066312.tif 000015